(57)【要約】【課題】最初の開封までの密封性およびガスバリア性を保証しながら、開封後におけるスムーズな内容物の取り出しが阻害されることが抑制されるチューブ容器を提供する。【解決手段】内容物を収容することができる筒状の胴部と、胴部の他端に取り付けられた、開口予定部および開口予定部周りの周縁部を有する注出口部とを含むチューブ容器であって、注出口部は、周縁部のチューブ容器外方となる面の全周にわたり胴部の他端近傍の内周面が接着された第１領域と、チューブ容器内方となる面にガスバリアフィルムが設けられた第２領域と、環状のハーフカットとを備え、胴部は、ガスバリア層を含む積層材を用いて形成され、第１領域と、第２領域とが、注出口部の周縁部の全周にわたる第３領域において、第３領域内の各位置における法線方向から見て、ガスバリア層とガスバリアフィルムとが互いに重なるように、注出口部に接着され取り付けられる。【選択図】図１
2020121733.tif 000002
【特許請求の範囲】
【請求項１】
一端が閉塞され、内容物を収容することができる筒状の胴部と、
前記胴部の他端に取り付けられた前記胴部の他端を閉塞可能な、開口予定部および前記開口予定部周りの周縁部を有する注出口部とを含むチューブ容器であって、
前記注出口部は、
前記周縁部の前記チューブ容器外方となる面の全周にわたり前記胴部の前記他端近傍の内周面が接着された第１領域と、
前記チューブ容器内方となる面にガスバリアフィルムが設けられた第２領域と、
前記開口予定部と前記周縁部との間に形成された環状のハーフカットとを備え、
前記胴部は、ガスバリア層を含む積層材を用いて形成され、
前記第１領域と、前記第２領域とが、前記注出口部の前記周縁部の全周にわたる第３領域において、前記第３領域内の各位置における法線方向から見て、前記ガスバリア層と前記ガスバリアフィルムとが互いに重なるように、前記注出口部に接着され取り付けられる、
チューブ容器。
【請求項２】
前記注出口部は、前記ハーフカットの内側から延出する摘み部を備え、
前記摘み部を所定の力で引っ張ることにより前記ハーフカットに沿って前記注出口部の開口予定部を除去して、前記注出口部に開口を形成することができる、
請求項１に記載のチューブ容器。
【請求項３】
前記ガスバリアフィルムは、端縁が前記注出口部により覆われている、
請求項１または２に記載のチューブ容器。
【請求項４】
前記摘み部は、前記注出口部と反対側に指を入れることができる環状部を備えるプルリングである、
請求項１から３のいずれかに記載のチューブ容器。
【発明の詳細な説明】
【技術分野】
【０００１】
本発明は、チューブ容器に関するものである。
【背景技術】
【０００２】
医薬品、化粧品、食品等を充填して包装することができるチューブ容器が知られている。チュ−ブ容器は、一般に、一端が閉塞されかつ他端が開口した筒状の胴部と、胴部の開口他端に溶着等により取り付けられた、胴部の開口から離れるにしたがって外径が小さくなるテーパ形状に形成された注出口部（肩部とも呼ばれる）とを含む。注出口部の胴部と反対側には、内容物を取り出すことができる開口部が設けられ、チューブ容器の使用者は注出口部に取り付けられたキャップを取り外した後、胴部を押し潰すことにより、開口部から内容物を絞り出すことができる。（特許文献１参照）。
【先行技術文献】
【特許文献】
【０００３】
【特許文献１】特開２０１６−１９９２８０号公報
【発明の概要】
【発明が解決しようとする課題】
【０００４】
このようなチューブ容器では、最初の開封までの密封性およびガスバリア性を保証するために、少なくとも開口部を閉塞することができるガスバリアフィルムを、インサート成形等により注出口部の内面に沿うように取り付けることがある。この場合、最初の開封では、ガスバリアフィルムをキャップ天面に設けた尖端部等の先が尖った治具により突き破って孔を空け、この孔から内容物を絞り出す。しかしながら、このようなチューブ容器では、注出口部からガスバリアフィルムを完全に取り除くことは困難であり、注出口部の開口部内に残ったガスバリアフィルムにより内容物のスムーズな取り出しが阻害されるという課題があった。
【０００５】
本発明はこのような課題に鑑みてなされたものであり、最初の開封までの密封性およびガスバリア性を保証しながら、開封後におけるスムーズな内容物の取り出しが阻害されることが抑制されるチューブ容器を提供することを目的とする。
【課題を解決するための手段】
【０００６】
上記課題を解決するための本発明の一局面は、一端が閉塞され、内容物を収容することができる筒状の胴部と、胴部の他端に取り付けられた胴部の他端を閉塞可能な、開口予定部および開口予定部周りの周縁部を有する注出口部とを含むチューブ容器であって、注出口部は、周縁部のチューブ容器外方となる面の全周にわたり胴部の他端近傍の内周面が接着された第１領域と、チューブ容器内方となる面にガスバリアフィルムが設けられた第２領域と、開口予定部と周縁部との間に形成された環状のハーフカットとを備え、胴部は、ガスバリア層を含む積層材を用いて形成され、第１領域と、第２領域とが、注出口部の周縁部の全周にわたる第３領域において、第３領域内の各位置における法線方向から見て、ガスバリア層とガスバリアフィルムとが互いに重なるように、注出口部に接着され取り付けられる、チューブ容器である。
【発明の効果】
【０００７】
本発明によれば、最初の開封までの密封性およびガスバリア性を保証しながら、ガスバリアフィルムによって開封後におけるスムーズな内容物の取り出しが阻害されることが抑制されるチューブ容器を提供することができる。
【図面の簡単な説明】
【０００８】
【図１】本発明の一実施形態に係るチューブ容器の正面図
【図２】本発明の一実施形態に係るチューブ容器を開封する際の様子を示す正面図
【図３】本発明の変形例に係るチューブ容器の要部断面図
【発明を実施するための形態】
【０００９】
本発明の実施形態に係るチューブ容器について、図を参照して説明する。なお、以下の説明では、実施形態および変形例の間で同一または対応する構成については同一の参照符号を付して説明を省略する。
【００１０】
本発明の一実施形態に係るチューブ容器１００は、一端が閉塞された胴部１０と、胴部１０の他端に取り付けられた注出口部２０とを含む。図１に、チューブ容器１００の正面図を示す。
【００１１】
胴部１０は、一端に位置する底部１１が閉塞された、図示しない内容物を収容することができる、ガスバリア層１４を含む積層材で形成された筒状の部材である。胴部１０は、一例としてガスバリア層１４を含むフィルム（積層フィルム）を筒状にした後、底部１１と、胴部１０の長手方向（図１の紙面上下方向）に沿った端縁とのそれぞれにおいて対向するフィルムどうしを接着することにより形成することができる。フィルムどうしの接着方法は、特に限定されないが、例えばフィルムにポリエチレンを含んだ接着層を設けて、これらをヒートシールする方法を用いることができる。ガスバリア層１４の材質は、ガスバリア性を有するフィルム材であれば、特に限定されないが、例えば、アルミニウム箔やＥＶＯＨ樹脂等を含んだ樹脂フィルムを用いることができる。
【００１２】
注出口部２０は、胴部１０の他端に位置する頂部１２に取り付けられ、胴部１０の頂部１２を閉塞可能とする部材である。注出口部２０は、一例として、胴部１０の長手方向に直交する平板状の閉塞部２１を備える。図２に示すように、平面視において閉塞部２１は、一例として円板形状であるが、形状は限定されず、楕円、長円、多角形等であってもよい。注出口部２０の材料は、特に限定されないが、直鎖状低密度ポリエチレン、低密度ポリエチレン等の樹脂材料を好適に用いることができる。閉塞部２１を平板状に形成した注出口部２０は、テーパ形状に形成された従来技術に係る注出口部と比較して、使用する材料を低減することができる。なお、閉塞部２１の形状は、後述するハーフカット２２と、ガスバリアフィルム２５とを形成することができれば、胴部１０の長手方向に直交する平板状でなくてもよく、胴部１０の頂部１２から離れるにしたがって外径が小さくなる肩部を備えるテーパ形状であってもよい。
【００１３】
閉塞部２１は、略中心部に円環状のハーフカット２２と、ハーフカット２２の内側から胴部１０の底部１１とは反対側に向かって延出する摘み部２３と、ハーフカット２２よりも外方において胴部１０の底部１１とは反対側に向かって延出する筒状の周壁２４と、ガスバリアフィルム２５とを備える。
【００１４】
摘み部２３は、一例として、閉塞部２１から延出する支持部２３ａと、支持部２３ａの注出口部２０と反対側の端部に設けられ、使用者が指を入れることができるように形成されたリング部２３ｂとを含むプルリングである。閉塞部２１が、ハーフカット２２と摘み部２３とを備えることにより、チューブ容器１００の使用者は、摘み部２３を所定の力で引っ張ることによりハーフカット２２に沿って閉塞部２１の一部である開口予定部２１ａ（ハーフカット２２により囲まれた領域）をガスバリアフィルム２５とともに除去することができ、これにより、閉塞部２１に内容物を取り出すための開口を形成することができる。このように、チューブ容器１００では、胴部１０の他端を注出口部２０により閉塞し、最初の開封時には、閉塞部２１の一部を除去して注出口部２０に開口を形成することができるため、最初の開封までの密封性を保証することができる。なお、ガスバリアフィルム２５に、ハーフカット２２の形状に対応する弱化線を形成して、開口予定部２１ａの除去を容易にしてもよい。
【００１５】
なお、摘み部２３の形状は、使用者が引っ張ることにより閉塞部２１の一部を除去することができればプルリングに限定されず、例えば閉塞部２１から延出する板状の摘み代であってもよい。
【００１６】
周壁２４は、注出口部２０に形成される開口を閉塞するキャップ（不図示）を取り付けるために設けられる。周壁２４には、キャップを固定するためのネジ山や係合爪を設けてもよい。
【００１７】
ガスバリアフィルム２５は、注出口部２０の所定の領域にガスバリア性を付与するために、注出口部２０のチューブ容器１００の内方となる面に設けられるフィルムである。ガスバリアフィルム２５の材質は、ガスバリア性を有し、後述するように閉塞部２１の一部とともにハーフカット２２に沿って除去可能なフィルム材であれば、特に限定されないが、例えば、アルミニウム箔やＥＶＯＨ樹脂等を用いることができる。ガスバリアフィルム２５を注出口部２０に設ける方法は、例えば、成形された注出口部２０にガスバリアフィルム２５をヒートシールしてもよいし、注出口部２０にガスバリアフィルム２５を一体成形（インサート成形）してもよい。ガスバリアフィルム２５の端縁（端面）は露出をしていてもよいが、図１に示すように、閉塞部２１に覆われていてもよい。ガスバリアフィルム２５の端縁を閉塞部２１により覆うことで、露出したガスバリアフィルム２５の端縁から層間剥離（デラミネーション）が発生することを抑制できる。
【００１８】
図１、図３に示すように、胴部１０の頂部１２近傍の内周面は、閉塞部２１の開口予定部２１ａ周りの周縁部２１ｂにおいて、全周にわたって閉塞部２１の胴部１０の底部１１側とは反対側の面に接着されている。胴部１０と閉塞部２１との接着方法は、特に限定されないが、例えばフィルムの最内層にポリエチレンを含んだ接着層を設けるとともにポリエチレンを含んだ材料で注出口部２０を形成して、これらをヒートシールする方法を用いることができる。
【００１９】
このとき、周縁部２１ｂの頂部１２近傍の内周面が接着された領域を第１領域とし、注出口部２０のチューブ容器１００内方となる面のガスバリアフィルム２５が設けられた領域を第２領域とし、注出口部２０の周縁部２１ｂの全周にわたる領域を第３領域とすると、胴部１０は次の条件を満たすようにして注出口部２０の閉塞部２１に接着される。すなわち、胴部１０は、第１領域と、第２領域とが、第３領域において、第３領域内の各位置における法線方向から見て、ガスバリア層１４とガスバリアフィルム２５とが互いに重なるように、注出口部２０に接着され取り付けられる。具体的には、チューブ容器１００の場合、閉塞部２１が胴部１０の長手方向に直交する平板状であるため、胴部１０は、図１に示すように、平面視においてガスバリア層１４とガスバリアフィルム２５とが互いに重なるように、注出口部２０の閉塞部２１に接着され取り付けられる。
【００２０】
このようにして、胴部１０が注出口部２０に取り付けられたチューブ容器１００では、閉塞部２１の周縁部の各位置における法線方向から見て、ガスバリア層１４とガスバリアフィルム２５とが互いに重なっているため、ガスバリア性を有さない領域が生じず、高いガスバリア性を実現することができる。したがって、胴部１０と注出口部２０とにより、最初の開封まで（注出口部２０に開口を形成するまで）の密封性およびガスバリア性を保証することができる。
【００２１】
図２にハーフカット２２に沿って注出口部２０の閉塞部２１の一部を除去して、閉塞部２１に開口を形成した際の断面図を示す。図２に示すように、摘み部２３を所定の力で引っ張ることによりハーフカット２２に沿って閉塞部２１の一部である開口予定部２１ａをガスバリアフィルム２５とともに除去して閉塞部２１に開口を形成することができる。これにより、ガスバリアフィルム２５が開口内に残ることを防ぐことができるため、ガスバリアフィルム２５により内容物のスムーズな取り出しが阻害されることを抑制できる。
【００２２】
（変形例）
図３に本発明の変形例に係るチューブ容器１０１の正面図を示す。チューブ容器１０１とチューブ容器１００との相違点は、チューブ容器１０１が摘み部２３および周壁２４を備えない点である。チューブ容器１０１は摘み部２３を備えないため、例えば、開口予定部２１ａを胴部１０の内部に向かって押し込むことにより開口を形成することができる。
【００２３】
開口予定部２１ａを内部に向かって押し込む作業は、指等で行ってもよいし、先端が尖った治具等を用いて行ってもよいし、ストロー等の管状の部材で行って、管状の部材を介して内容物を取り出すことができるようにしてもよい。また、例えば、チューブ容器１０１を正立させて載置できるリジッドな容器に収納して、ポンプディスペンサー等の吸引装置によって開口予定部２１ａを内部に向かって押し込むことで内容物を吸引できるようにしてもよい。
【００２４】
チューブ容器１０１でも、ガスバリア層１４とガスバリアフィルム２５とが互いに重なるように胴部１０が接着されているため、最初の開封までの密封性およびガスバリア性を保証することができる。また、ハーフカット２２に沿って閉塞部２１の一部を除去できるため、ガスバリアフィルム２５が開口に残ることを防ぐことができ、ガスバリアフィルム２５により内容物のスムーズな取り出しが阻害されることを抑制できる。
【産業上の利用可能性】
【００２５】
本発明は、医薬品、化粧品、食品等を充填できる包装容器に用いることができる。
【符号の説明】
【００２６】
１０    胴部
１１    底部
１２    頂部
２０    注出口部
２１    閉塞部
２１ａ    開口予定部
２１ｂ    周縁部
２２    ハーフカット
２３    摘み部
２４    周壁
１００、１０１    チューブ容器
【図１】
2020121733.tif 000003
【図２】
2020121733.tif 000004
【図３】
2020121733.tif 000005